(57)【要約】【課題】  ガーゼに織り込まれたＸ線造影糸の切除作業を自動化すること。【解決手段】  ガーゼ原反10の緯糸の無い境界部分12において、経糸と平行に織り込まれたＸ線造影糸１を切除する装置であって、頭部にＵ字形の切り込み22を形成した仕切り壁23と谷溝25とを等間隔に交互に配列したＸ線造影糸を選別する櫛状の選別部材２を具備し、上記谷溝25の間隔をガーゼの木綿糸の太さよりも広く、Ｘ線造影糸の太さよりも狭く設定したものである。【選択図】  図４
2019025332.tif 000002
【特許請求の範囲】
【請求項１】
ガーゼ原反の緯糸の無い境界部分において、経糸と平行に織り込まれたＸ線造影糸を切除する装置であって、
頭部にＵ字形の切り込みを形成した仕切り壁と谷溝とを等間隔に交互に配列したＸ線造影糸を選別する櫛状の選別部材を具備し、
上記谷溝の間隔をガーゼの木綿糸の太さよりも広く、Ｘ線造影糸の太さよりも狭く設定したことを特徴とするＸ線造影糸を切除する装置。
【発明の詳細な説明】
【技術分野】
【０００１】
本発明は、Ｘ線造影糸を一部の経糸に代えて織り込まれたガーゼ切断する際に、予めＸ線造影糸を切除しておく装置に関する。
【背景技術】
【０００２】
外科手術において使用される医療用ガーゼ11は、図６（ａ）の斜視図に示すように、縦横凡そ３００ｍｍの四角形であって、経糸に細い木綿糸が使用され、緯糸にも木綿糸が使用され、平織りされてロール状に巻き取られている。巻き取られたガーゼの長い原反10は、およそ３００ｍｍ間隔ごとに緯糸がなく経糸だけの境界部分12が形成され、その境界部分12の幅は、およそ３０ｍｍである。
【０００３】
外科手術を行う際に、血液や体液を吸収させるためにガーゼが使用されている。使用済みになったガーゼは、手術後に体内から全て取り除かれているべきであるが、手術中に血液で染まるために、臓器などと識別し難くなって、一部のガーゼを体内に残したまま縫合してしまうことがあった。
【０００４】
そこで、下記特許文献１に開示されているように、Ｘ線造影糸１を一部の経糸に代えて経糸と平行に織り込んだガーゼ11を作り、このガーゼを使用して手術を行い、手術後にＸ線撮影を行うと、ガーゼ11に織り込まれたＸ線造影糸１がＸ線を透過させないから、Ｘ線造影糸１の存在を可視化できるので、ガーゼの取り残しの有無の確認に利用していた。
【先行技術文献】
【特許文献】
【０００５】
【特許文献１】特許第４６６９２９８号公報
【発明の概要】
【発明が解決しようとする課題】
【０００６】
Ｘ線造影糸は、Ｘ線を吸収する硫酸バリウムを素材とするＸ線造影剤と、ポリ塩化ビニル、ポリプロピレン、ポリエステル、ポリスチレンなどの合成樹脂とからなり、糸状に成型したものであって、木綿糸より固くて太いものである。
【０００７】
図６に示すように、Ｘ線造影糸１は、ガーゼ原反の長手方向の両側端部より内側に配置されており、Ｘ線撮影時に認識され易いようにある程度の太さを有している。Ｘ線造影糸１に細いものを使用する場合には、複数本の細いＸ線造影糸を撚り合わせて１本のＸ線造影糸として使用されている。
【０００８】
平織りされてロール状に巻かれた長いガーゼの原反10は、およそ３０ｍｍ幅の緯糸の無い境界部分12において裁断され、１枚づつのガーゼとなる。このとき、図６（ｂ）に示すように、ガーゼの長手方向に織り込まれたＸ線造影糸１も木綿の緯糸とともに裁断されて、木綿糸は房13となって解れを防ぐが、木綿糸より硬いＸ線造影糸１は房13から突出することがある。
【０００９】
このように、木綿糸の房13から突出した硬いＸ線造影糸１が、手術中に患者の臓器を傷つけることがあり、また、手術中に電気メスによって、突出したＸ線造影糸１を切り落とすことがあるので、予め取り除いておくことが必要であった。
【００１０】
そこで、房13から突出した硬いＸ線造影糸１は、従来より手作業によって取り除いていた。この手作業は、手間のかかる仕事であり、清潔な環境の中で行わなければならないなどの問題があって、機械化が望まれていた。
【課題を解決するための手段】
【００１１】
本発明は、ガーゼ原反の緯糸の無い境界部分において、経糸と平行に織り込まれたＸ線造影糸を切除する装置であって、頭部にＵ字形の切り込みを形成した仕切り壁と谷溝とを等間隔に交互に配列したＸ線造影糸を選別する櫛状の選別部材を具備し、上記谷溝の間隔をガーゼの木綿糸の太さよりも広く、Ｘ線造影糸の太さよりも狭く設定したことを特徴とする。
【発明の効果】
【００１２】
本発明の医療用ガーゼに織り込まれたＸ線造影糸を切除する装置によると、ガーゼ原反の緯糸の無い境界部分においてＸ線造影糸を切除したとき、ガーゼ側に残存したＸ線造影糸の切り口が房より突出することがないので、Ｘ線造影糸の存在に基づく手術中の医療事故を軽減できる。
【図面の簡単な説明】
【００１３】
【図１】ガーゼに織り込まれたＸ線造影糸を切除する本発明の装置における選別部材の斜視図（ａ）および選別部材の部品を示す平面図（ｂ）および（ｃ）である。
【図２】Ｘ線造影糸を切除する装置の動作開始前の状態を示す斜視図である。
【図３】Ｘ線造影糸を切除する装置の動作中の一部の状態を示す斜視図である。
【図４】選別部材を示す側面図（ａ）、Ｘ線造影糸を選別した状態を示す選別部材の縦断面図（ｂ）である。
【図５】Ｘ線造影糸を切除する工程を説明するために用いる説明図である。
【図６】Ｘ線造影糸を織り込まれてロール状に巻かれたガーゼの原反の一例を示す斜視図である。
【発明を実施するための形態】
【００１４】
本発明の医療用ガーゼに織り込まれたＸ線造影糸を切除する装置は、ガーゼの原反10を緯糸の無い境界部分12において裁断する前に、境界部分12における多くの木綿糸の経糸の中から１本のＸ線造影糸１を選別して予め切り取る工程と、その後、境界部分12のほぼ中央において経糸の木綿糸を全幅にわたって切断する工程を経て、１枚づつのガーゼを得る装置に適用するものである。
【００１５】
本発明のＸ線造影糸１を一部の経糸に代えて織り込まれたガーゼを切断する装置は、図２および図３の斜視図に示すように、ガーゼの境界部分12（図６参照）において経糸の木綿糸とＸ線造影糸１とを選別する選別部材２と、選別されたＸ線造影糸１を押さえ付けるＸ線造影糸押さえ部材３と、選別部材２で分離されたＸ線造影糸１を摘んで保持するＸ線造影糸摘み部材４(図５参照)と、Ｘ線造影糸押さえ部材３により押さえ付けた状態でＸ線造影糸を切断するカッター５(図５参照)とにより構成される。
【００１６】
多くの木綿糸の経糸の中から１本のＸ線造影糸を選別する選別部材２は、図１（ｂ）に示すように、頭部にＵ字形に切り込み22を形成し、仕切り壁23を構成する細長い第１の薄板21と、図１（ｃ）に示すように、頭部にＵ字形の凹みを形成しないで、第１の薄板21よりも短い第２の薄板26とを用意し、第１の薄板21と第２の薄板26とを交互に積み重ねることにより、図１（ａ）の斜視図に示す積層体を形成したのち、流動性のよい瞬間接着剤を側壁に垂らして固定することにより、櫛状の選別部材２を形成する。または、捻子止め止め、カシメ止めなどにより固定してもよいのである。
【００１７】
この積層体として構成される櫛状の選別部材２の谷溝25の幅ｔは、図４に示すように、第２の薄板26の厚みｔと同じであって、ガーゼに使用されている木綿糸の太さよりも広く、１本の太いＸ線造影糸１または細い複数のＸ線造影糸を撚ったものの太さよりも狭く設定されている。
【００１８】
図３の斜視図に示すように、選別部材２の両側には、選別されたＸ線造影糸１を押さえ付けるＸ線造影糸押さえ部材３を備えている。
【００１９】
さらに、Ｘ線造影糸押さえ部材３の上に、Ｘ線造影糸１を切断するカッター５（図５参照）を備えている。このカッター５は熱線またはヒータを用いたヒートカッターであり、合成ゴムで作ったＸ線造影糸１を溶断できる温度まで加熱して待機させておき、切断時にＸ線造影糸１に接触させて溶断する。
【００２０】
以上で説明したように構成された本発明の装置を用いて、Ｘ線造影糸を切除する工程を図５に基づいて説明する。
【００２１】
ステップ１：Ｘ線造影糸を織り込まれて、ロール状に巻かれたガーゼの原反を引き出しながらセンサー（図示せず）によって、緯糸の無い境界部分12を検出すると、原反の引き出しを停止する。この停止時には、図２に示すように、選別部材２の直上に原反の境界部分12のほぼ中央が一致するように位置決めして停止させる。
【００２２】
ステップ２：図３に示すように選別部材２を上昇させる。この上昇中に、図４（ｂ）の断面図に示すように、境界部分12の木綿の経糸14が選別部材２の谷溝25に落ち込むが、谷溝25の幅ｔよりも太いＸ線造影糸１は、選別部材２のＵ字形の頂部23に跨がるように残存する。
【００２３】
ステップ３：図３および図５（ｂ）に示すように、Ｘ線造影糸押さえ部材３を動作させてＸ線造影糸１の両側を押さえながら、さらに選別部材２を上昇させると、Ｘ線造影糸１が凸状に曲げられて、Ｘ線造影糸１の張力は強くなる。
【００２４】
ステップ４：図５（ｃ）に示すように、選別部材２のＵ字形の頂部に残存されているＸ線造影糸１を摘み部材４によって摘んだのち、２つのヒート・カッター５をＸ線造影糸１の両側に接触させて２カ所で溶断する。このようにして切断すると、Ｘ線造影糸１にかかっていた張力が開放されるので、Ｘ線造影糸１が境界部分12の両側のガーゼに引き込まれる。
【００２５】
ステップ５：図５（ｄ）に示すように、切り取ったＸ線造影糸の切取片６は、摘み部材４に摘まれているので、屑箱（図示せず）の中に落とし、後に計数に利用される。
【００２６】
そして、ガーゼの原反を引き出して、次の緯糸の無い境界部分12を検出すると、ガーゼの引き出しを停止して、ステップ１に戻る動作を繰り返し行うのである。
【符号の説明】
【００２７】
１  Ｘ線造影糸
２  選別部材
３  Ｘ線造影糸押さえ部材
４  摘み部材
５  カッター
６  Ｘ線造影糸の切取片
10  医療用ガーゼの原反
11  医療用ガーゼ
12  境界部分
13  房
【図１】
2019025332.tif 000003
【図２】
2019025332.tif 000004
【図３】
2019025332.tif 000005
【図４】
2019025332.tif 000006
【図５】
2019025332.tif 000007
【図６】
2019025332.tif 000008